(57)【要約】【課題】  映像に対する複雑な処理を行わずに入力映像の画面サイズ（フォーマット）を推定することができるディスプレイ装置を提供する。【解決手段】  周波数検出回路５は、１Ｖ（垂直期間）において検出された水平同期信号の数をカウントしていく。そして、この検出結果（映像信号のライン数）であるカウント値をＣＰＵ１０に供給する。ＣＰＵ１０は、前記カウント値に基づいて映像信号の画面サイズを判定する。例えば、カウント値として「７２０」又は「１０８０」を得たときには、映像信号の画面サイズは１６：９であると推定し、それら以外のカウント値を得たときには、映像信号の画面サイズは４：３であると推定する。そして、この推定結果である画面サイズ情報を映像出力回路６に与える。映像出力回路６は、前記画面サイズ情報及びディスプレイ７の画面サイズに応じた映像信号生成処理を行う。【選択図】        図１
2006352471.tif 000002
【特許請求の範囲】
【請求項１】
入力映像の周波数を検出する手段と、検出された周波数に基づいて前記入力映像の画面サイズを推定する手段と、推定した画面サイズとディスプレイの画面サイズとに基づいて前記入力映像が前記ディスプレイに好適に表示されるように前記入力映像に対してサイズ変換処理を行う手段と、を備えたことを特徴とするディスプレイ装置。
【請求項２】
請求項１に記載のディスプレイ装置において、前記周波数が７２０ｐ及び１０８０ｉを示すときには画面サイズは１６：９であると推定し、それ以外であるときには画面サイズは４：３であると推定することを特徴とするディスプレイ装置。
【請求項３】
請求項１又は請求項２に記載のディスプレイ装置において、外部映像機器から出力される映像を入力する映像入力端子を備え、この映像入力端子から入力される映像を前記入力映像として処理することを特徴とするディスプレイ装置。
【請求項４】
請求項１乃至請求項３のいずれかに記載のディスプレイ装置において、ディジタル放送を受信する手段を備え、前記ディジタル放送の受信によって得られた映像を前記入力映像として処理するとともに、前記ディジタル放送から映像の画面サイズを示す情報を取得できたときには、当該情報に基づいて前記入力映像に対する処理を実行する一方、前記情報を取得できなかったときには、前記推定した画面サイズに基づいて前記映像に対する処理を実行するように構成されたことを特徴とするディスプレイ装置。
【請求項５】
請求項１乃至請求項４に記載のディスプレイ装置において、前記推定した画面サイズで前記映像に対する処理を実行している状態で、ユーザー操作による画面サイズ切替指令を受けたときには、前記映像が前記推定した画面サイズではない方の画面サイズを有するとして、当該映像に対する処理を実行するように構成されたことを特徴とするディスプレイ装置。
【発明の詳細な説明】
【技術分野】
【０００１】
この発明は、ディジタル放送受信装置などのディスプレイ装置に関する。
【背景技術】
【０００２】
放送映像には、ノーマルの４：３やワイド画面と言われている１６：９の画面サイズ（アスペクト比）があり、放送受信装置は受信映像を４：３或いは１６：９のサイズでディスプレイに表示する。更に、放送受信装置には、ユーザー操作によって画面サイズを切り替えるサイズ切替機能が搭載されている（特許文献１参照）。また、映像信号から自動的に画面サイズ（アスペクト比）を判定（フォーマット判定）する画面サイズ判定回路も知られている（特許文献２参照）。
【特許文献１】特開２００３−３３３４５５号公報
【特許文献２】特開平９−２４７５７２号公報
【発明の開示】
【発明が解決しようとする課題】
【０００３】
ところで、ディジタル放送においては、放送局が送信する放送波にアスペクト比を示す情報（画面サイズ情報，アスペクト比情報）を重畳することが可能であり、放送受信装置は前記アスペクト比情報を分離取得することで、受信映像の画面サイズを知得し、この受信映像の画面サイズとディスプレイの画面サイズとに基づいて適切なサイズで映像表示を行うことができる。
【０００４】
しかしながら、放送波に前記アスペクト比情報が載せられていない場合には、適切なサイズで映像表示が行われないことになり、ユーザーはやむを得ず前述したサイズ切替機能を用いて表示映像の画面サイズを指定することになる。同様に、ＤＶＤレコーダ（プレーヤ）などの外部機器から入力される映像信号にアスペクト比情報が載せられていない場合も（コンポーネントのアナログ映像信号にはアスペクト比情報は載せられていない）、ユーザーはやむを得ず前述したサイズ切替機能を用いて表示映像の画面サイズを指定することになる。このため、本来の映像が１６：９で表示されるべきであるのに、４：３の映像が入力されているかのような画面サイズに加工されてしまうことが生じ、例えば、本来は真円形状のものが縦に伸びたり或いは横に伸びて非真円で表示されることが生じる。また、前述した画面サイズ判定回路を用いるとディスプレイ装置が割高になる。
【０００５】
この発明は、上記の事情に鑑み、映像に対する複雑な処理を行わずに入力映像の画面サイズ（フォーマット）を推定することができ、この推定に基づいて当該入力映像をディスプレイの画面サイズに適したサイズに変換することができるディスプレイ装置を提供することを目的とする。
【課題を解決するための手段】
【０００６】
この発明のディスプレイ装置は、上記の課題を解決するために、入力映像の周波数を検出する手段と、検出された周波数に基づいて前記入力映像の画面サイズを推定する手段と、推定した画面サイズとディスプレイの画面サイズとに基づいて前記入力映像が前記ディスプレイに好適に表示されるように前記入力映像に対してサイズ変換処理を行う手段と、を備えたことを特徴とする。
【０００７】
上記の構成であれば、映像に対する複雑な処理を行わずに入力映像の画面サイズ（フォーマット）を推定することができ、この推定に基づいて当該入力映像をディスプレイの画面サイズに適したサイズに変換することができる。
【０００８】
上記構成のディスプレイ装置において、前記周波数が７２０ｐ及び１０８０ｉを示すときには画面サイズは１６：９であると推定し、それ以外であるときには画面サイズは４：３であると推定するのがよい。
【０００９】
これら構成のディスプレイ装置において、外部映像機器から出力される映像を入力する映像入力端子を備え、この映像入力端子から入力される映像を前記入力映像として処理するようにしてもよい。
【００１０】
これら構成のディスプレイ装置において、ディジタル放送を受信する手段を備え、前記ディジタル放送の受信によって得られた映像を前記入力映像として処理するとともに、前記ディジタル放送から映像の画面サイズを示す情報を取得できたときには、当該情報に基づいて前記入力映像に対する処理を実行する一方、前記情報を取得できなかったときには、前記推定した画面サイズに基づいて前記映像に対する処理を実行するように構成されていてもよい。かかる構成であれば、サイズ認定誤りの発生を極力防止ことができる。
【００１１】
これら構成のディスプレイ装置において、前記推定した画面サイズで前記映像に対する処理を実行している状態で、ユーザー操作による画面サイズ切替指令を受けたときには、前記映像が前記推定した画面サイズではない方の画面サイズを有するとして、当該映像に対する処理を実行するように構成されていてもよい。かかる構成であれば、上記誤りが発生したときでも、ユーザー指示で映像を適切なサイズに変換することができる。
【発明の効果】
【００１２】
以上説明したように、この発明によれば、映像に対する複雑な処理を行わずに入力映像の画面サイズ（フォーマット）を推定することができ、この推定に基づいて当該入力映像をディスプレイの画面サイズに適したサイズに変換することができる。また、映像に画面サイズ情報（フォーマット情報）が重畳されているときには、当該情報を優先し、当該情報がない場合に前記推定を行う構成であれば、サイズ認定誤りの発生を極力防止ことができる。また、ユーザー指示による画面サイズ切替を許容する構成であれば、上記誤りが発生したときでも、ユーザー指示で映像を適切なサイズに変換することができる。
【発明を実施するための最良の形態】
【００１３】
以下、この発明の実施形態のディスプレイ装置を図１乃至図４に基づいて説明していく。なお、この実施形態のディスプレイ装置は衛星ディジタル放送を受信するディジタル放送受信装置として構成されており、且つ外部からの映像信号を入力して映像表示が行える構成を有する。図１は上記ディジタル放送受信装置としての構成を示したブロック図であり、図２は処理内容を示したフローチャートであり、図３はディスプレイの画面サイズが１６：９である場合の、映像の画面サイズと表示映像との関係の一例を示した説明図であり、図４はディスプレイの画面サイズが４：３である場合の、映像の画面サイズと表示映像との関係の一例を示した説明図でる。
【００１４】
図１に示すように、アンテナ１は、屋外において所定の方向に向けて配置されており、衛星から送られてくるディジタル放送信号を受信する。このアンテナ１は一般に周波数変換器を備え、受信／周波数変換した信号をディジタルチューナ２に与える。
【００１５】
ディジタルチューナ２は、映像・音声データを含む高周波ディジタル変調信号のうちから特定周波数の信号を取り出す。すなわち、ディジタル放送の複数のトランスポンダのなかから一つを選択する処理を行う。また、ディジタルチューナ２は、復調回路、逆インタリーブ回路、誤り訂正回路などを備えることにより、選択したディジタル変調信号を復調してトランスポートストリームを出力する。また、ディジタルチューナ２は、図示しないデマルチプレクサ（ＤＥＭＵＸ）を備えている。デマルチプレクサは、前記トランスポートストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサは、ビデオストリームとオーディオストリームをＡＶデコーダ３に供給し、ＰＳＩ／ＳＩに含まれる番組情報（番組名、番組内容情報、番組ジャンル情報等）等をＣＰＵ１０に供給する。
【００１６】
ＡＶデコーダ３はビデオストリームに対してデコードを行うビデオデコーダ、オーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御等を行って映像データを生成する。オーディオデコーダは、入力された符号化信号を復号して音声データを生成する。また、この実施形態では、ＡＶデコーダ３はＤ／Ａコンバータを備え、前記映像データ及び音声データをそれぞれアナログ信号（例えば、映像については、Ｙ，Ｐｂ，Ｐｒのコンポーネント信号、音声については左右のステレオ信号）に変換して出力する。
【００１７】
入力切替回路４は、前記ＡＶデコーダ３からのアナログの映像信号と音声信号とを入力するとともに、外部機器（例えば、ＤＶＤプレーヤ等）１１から供給されるアナログの映像信号（例えば、Ｙ，Ｐｂ，Ｐｒのコンポーネント信号）と音声信号（例えば、左右のステレオ信号）を入力する。そして、ＣＰＵ１０の指令に従っていずれかの映像・音声信号を選択して出力する。音声信号は音声アンプ８によって増幅等の処理を施されてスピーカ９に供給される。映像信号は周波数検出回路５に供給される。
【００１８】
周波数検出回路５は、アナログの映像信号を入力し、映像信号のライン数を判定する。例えば、１Ｖ（垂直期間）において検出された水平同期信号の数をカウントしていく。そして、この検出結果（映像信号のライン数）であるカウント値をＣＰＵ１０に供給する。
【００１９】
映像出力回路６は、周波数検出回路５を経た映像信号に対してＡ／Ｄ変換を行い、映像信号の画面サイズ及びディスプレイ７の画面サイズに応じた映像信号生成処理（ブランク領域の付加等）、ユーザー指示に基づく映像拡大等に応じたスケール変換処理（図３及び図４参照）、映像に文字や画像を重ねるオンスクリーンディスプレイ処理等を施す。前記映像信号生成処理における映像信号の画面サイズ情報、スケール変換における変換比率の情報、オンスクリーンディスプレイ処理における文字情報やレイアウト情報は、ＣＰＵ１０から与えられる。更に、映像出力回路６は、前記処理後のディジタルの映像信号に対して例えばＮＴＳＣエンコードを行ってＮＴＳＣ信号を生成し、このＮＴＳＣ信号をディスプレイ７に供給する。
【００２０】
ＣＰＵ１０は、周波数検出回路５から供給された前記カウント値に基づいて映像信号の画面サイズを判定する。例えば、カウント値として「７２０」を得たとき又は「１０８０」を得たときには、映像信号の画面サイズは１６：９であると推定し、それら以外のカウント値を得たときには、映像信号の画面サイズは４：３であると推定する。そして、この推定結果である画面サイズ情報を映像出力回路６に与える。また、受信したディジタル放送波に画面サイズ情報（アスペクト比情報）が重畳されている場合には、ディジタルチューナ２にて画面サイズ情報が分離されてＣＰＵ１０に供給される。従って、ＣＰＵ１０は、ディジタルチューナ２から画面サイズ情報を得たときには、当該画面サイズ情報を優先する。別言すれば、映像信号に重畳されている画面サイズ情報を取得できたときには、当該情報に基づいて映像の画面サイズを判定する一方、映像信号に画面サイズ情報が重畳されていない場合には前記周波数検出回路５の出力に基づいて映像の画面サイズを推定する処理を行う。
【００２１】
上記処理内容を図２のフローチャートに示す。まず、映像信号に画面サイズ情報が重畳されているかどうかを判定し（ステップＳ１）、重畳されているときには、当該情報で示される映像の画面サイズとディスプレイ７の画面サイズとに基づいて、映像を適切なサイズに加工する（ステップＳ２）。重畳されていないときには、前記周波数検出回路５の出力に基づいて映像のフォーマットが７２０ｐ或いは１０８０ｉかどうかを判定し（ステップＳ３）、ＹＥＳの判定が得られたときには、映像の画面サイズは１６：９であると推定して、映像を適切なサイズに加工する（ステップＳ４）。一方、ＮＯの判定が得られたときには、映像の画面サイズは４：３であると推定して、映像を適切なサイズに加工する（ステップＳ５）。
【００２２】
ところで、４：３の標準映像にサイドパネルを付加することによって１６：９の映像とし、この１６：９の映像が７２０ｐで送信されてくる場合があるが、稀に、４：３の映像にサイドパネルを付加せずに７２０ｐで送信されてくることがある。このような場合には、周波数検出回路５の出力に基づくと映像の画面サイズは１６：９であると推定してしまうことになる。従って、このような事態が生じることに鑑みると、ユーザーによる画面サイズ切替を許容する構成としておき、映像の画面サイズが１６：９であると推定して処理表示した映像に対して、前記ユーザーによる画面サイズ切替の指令があったときには、表示中の映像は４：３の映像であるとして処理するようにしてもよい。すなわち、ＣＰＵ１０は、画面サイズが４：３であるとの推定結果を映像出力回路６に与えた後、リモコン送信機の画面サイズ切替キーの押下を検出したときには、画面サイズが４：３であるとの情報を映像出力回路６に与え直すようにしてもよい。繰り返しになるが、周波数検出回路５の検出出力が７２０ｐを示しているときには映像の画面サイズは１６：９であるとして処理することを基本としつつ、画面サイズ切替の指示を受けたときには４：３の映像に対する処理に切り替えるようにしてもよい。なお、映像信号に重畳されている画面サイズ情報に基づいて映像を処理している状態であるときは、前記画面サイズ切替の指示を受けても、上述したような切替を行わないのがよい。
【図面の簡単な説明】
【００２３】
【図１】この発明の実施形態のディジタル放送受信装置（ディスプレイ装置）を示したブロック図である。
【図２】この発明の処理内容を示したフローチャートである。
【図３】この発明の処理による画面表示例を示した説明図である。
【図４】この発明の処理による画面表示例を示した説明図である。
【符号の説明】
【００２４】
１    アンテナ
２    ディジタルチューナ
３    ＡＶデコーダ
４    入力切替回路
５    周波数検出回路
６    映像出力回路
１０  ＣＰＵ
【図１】
2006352471.tif 000003
【図２】
2006352471.tif 000004
【図３】
2006352471.tif 000005
【図４】
2006352471.tif 000006